(57)【要約】【課題】建物の周囲にクレーンを使用するスペースがない場合でも屋上から解体工事を行うことができる解体方法及び桁式サポート装置を提供する。【解決手段】ショベル機Ｓにて上層階のスラブＱに移動開口部Ｒを形成する。下層階から移動開口部Ｒに桁式サポート装置１００を斜めに架け渡す。桁式サポート装置１００を伝って移動開口部Ｒから上層階にショベル機Ｓを移動させる。ショベル機Ｓを屋上まで移動させる。Ｈ形鋼のウェブを載置面とする桁フレーム１０を設ける。桁フレーム１０の長手中央部位の裏側にＨ形鋼の補助フレーム２０を固着する。補助フレーム２０の長手両端部に一対の固定平鋼３１を固着する。この固定平鋼３１にタイロッド棒３０を貫通し固定ナット３２で固定する。タイロッド棒３０を緊締して桁フレーム１０及び補助フレーム２０に張力を発生させる。【選択図】  図１
2015048586.tif 000002
【特許請求の範囲】
【請求項１】
建物の梁の上相互間に桁式サポート装置を架け渡し、この桁式サポート装置にショベル機を載せて移動しながら解体工事を行う桁式サポート装置を使用した解体方法において、下層階のスラブ上に配置したショベル機にて上層階のスラブ下面からショベル機移動用の移動開口部を形成する工程と、下層階から上層階の移動開口部に桁式サポート装置を斜めに架け渡しショベル機が桁式サポート装置を伝って移動開口部から上層階に移動する工程とを有し、上層階移動工程にてショベル機を屋上まで移動させることを特徴とする桁式サポート装置を使用した解体方法。
【請求項２】
建物の梁の上相互に架け渡し、解体工事用のショベル機を載せる桁式サポート装置において、Ｈ形鋼のウェブ片面を載置面とする桁フレームと、該桁フレームの長手中央部位の裏側に、長手方向に沿って複数本固着されるＨ形鋼の補助フレームと、該補助フレームの長手両端部に固着された一対の固定平鋼を貫通し、固定ナットで固定するタイロッド棒とを備え、該タイロッド棒を緊締して桁フレーム及び補助フレームに張力を発生させるように構成したことを特徴とする桁式サポート装置。
【請求項３】
前記タイロッド棒は前記補助フレームの間に配設され、前記補助フレームの下面全体を被覆する補強プレートが補助フレームに固着された請求項２記載の桁式サポート装置。
【請求項４】
前記桁フレームを構成するＨ形鋼のフランジ端部に、上層階の梁上面に係止せしめる係止部を形成した請求項２記載の桁式サポート装置。
【発明の詳細な説明】
【技術分野】
【０００１】
本発明は、ショベル機を使用してコンクリート造の建物を解体する際に、ショベル機の重量を梁の上に架け渡した桁式サポート装置で分散させながら建物を解体する桁式サポート装置を使用した解体方法及び桁式サポート装置に関するものである。
【背景技術】
【０００２】
ＲＣ造やＳＲＣ造等の建物の解体工事には、屋上にクレーンでショベル機を吊り上げ、上層階から下層階に至る解体作業を行う屋上解体方法が一般的に行われている。この際、解体施工に使用するショベル機の重量が、各階のスラブ等に加わると、スラブ等の強度が耐え切れず抜け落ちる危険性がある。そのため、ショベル機の荷重からスラブが抜け落ちないように各フロアのスラブを下からサポート補強して解体する工事が行われている。
【０００３】
この解体工事では、スラブが抜け落ちないように鉄板を敷き詰め、下層階のスラブと上層階のスラブ間にサポート装置や強化ポスト等を設置し、スラブを補強してから上層階のスラブにショベル機を荷揚げするものである。ところが、この方法では、各階のスラブ間に大量のサポートを設置するため、工事期間と経費負担が増大する不都合がある。またサポート装置や強化ポスト等の配置位置が正確でないとショベル機の作業中に発生する振動等でサポート装置が緩んだり外れてしまったりするおそれもあった。
【０００４】
特許文献１は、このようなサポート装置を使用する代わりに、解体用ショベル機の重量を、梁の上に分散させる桁式サポート装置を提案したものである。この桁式サポート装置によると、スラブより比較的強度が高い梁の上に、Ｈ形鋼を利用した桁式サポート装置を架け渡し、この桁式サポート装置にショベル機を載せて移動しながら解体工事を行うように構成したものである。
【先行技術文献】
【特許文献】
【０００５】
【特許文献１】特開２００２−３７１７１３号公報
【発明の概要】
【発明が解決しようとする課題】
【０００６】
ところが、従来のサポート装置や桁式サポート装置を使用する解体工事は、いずれも、屋上にクレーンでショベル機を吊り上げ、上層から下層の順で解体作業を行うものであるから、建物の周囲にショベル機を吊り上げるクレーンの設置スペースがない場合には解体工事が行えないという不都合があった。
【０００７】
また、従来の桁式サポート装置は、Ｈ形鋼のウェブの片面を載置面とし、このウェブの両端部に補強装置を溶接し、この補強装置を連結する長ボルトで補強装置を締め付けることでウェブに張力を発生させ、桁式サポート装置の支持強度を高めるものであった。
【０００８】
この張力により、桁フレームの強度を高めることは可能になったが、桁フレームの長手中央部の強度は長手両端部の強度に比べて低くなり、位置によって強度にばらつきが生じるものであった。そのため、この桁フレームにショベル機を載せた際に、桁フレームが長手中央部から撓み、補強装置が外れるおそれがあるなどという安全性の課題があった。
【０００９】
そこで、本発明は上述の課題を解消すべく創出されたもので、建物の周囲にクレーンを使用するスペースがない場合でも屋上から解体工事を行うことができ、しかもショベル機を載せても桁式サポート装置に変形が少なく、安全な施工ができる桁式サポート装置を使用した解体方法及び桁式サポート装置の提供を目的とするものである。
【課題を解決するための手段】
【００１０】
上述の目的を達成すべく本発明における第１の手段は、建物の梁Ｐの上相互間に桁式サポート装置１００を架け渡し、この桁式サポート装置１００にショベル機Ｓを載せて移動しながら解体工事を行う桁式サポート装置を使用した解体方法において、
下層階のスラブＱ上に配置したショベル機Ｓにて上層階のスラブＱ下面からショベル機Ｓ移動用の移動開口部Ｒを形成する工程と、
下層階から上層階の移動開口部Ｒに桁式サポート装置１００を斜めに架け渡しショベル機Ｓが桁式サポート装置１００を伝って移動開口部Ｒから上層階に移動する工程とを有し、上層階移動工程にてショベル機Ｓを屋上まで移動させる解体方法にある。
【００１１】
第２の手段は、建物の梁Ｐの上相互に架け渡し、解体工事用のショベル機Ｓを載せる桁式サポート装置において、
Ｈ形鋼のウェブ片面を載置面とする桁フレーム１０と、
該桁フレーム１０の長手中央部位の裏側に、長手方向に沿って複数本固着されるＨ形鋼の補助フレーム２０と、
該補助フレーム２０の長手両端部に固着された一対の固定平鋼３１を貫通し、固定ナット３２で固定するタイロッド棒３０と、を備え、
該タイロッド棒３０を緊締して桁フレーム１０及び補助フレーム２０に張力を発生させるように構成した桁式サポート装置にある。
【００１２】
第３の手段において、前記タイロッド棒３０は前記補助フレーム２０の間に配設され、前記補助フレーム２０の下面全体を被覆する補強プレート４０が補助フレーム２０に固着された桁式サポート装置である。
【００１３】
第４の手段は、前記桁フレーム１０を構成するＨ形鋼のフランジ端部に、上層階の梁Ｐ上面に係止せしめる係止部１１を形成した桁式サポート装置とする。
【発明の効果】
【００１４】
本発明の請求項１によると、上層階移動工程にて屋上まで移動させたショベル機Ｓにて解体工事を行う解体方法により、建物の周囲にクレーンを使用するスペースがない場合でも屋上から解体工事を行うことができる。
【００１５】
請求項２のごとく、タイロッド棒３０を緊締し桁フレーム１０及び補助フレーム２０に張力を発生させるように構成したことで、ショベル機を載せても変形が少なく、安全な施工ができる桁式サポート装置を提供することに成功した。
【００１６】
請求項３のように、タイロッド棒３０は前記補助フレーム２０の長手方向に沿った相互間に配設され、前記補助フレーム２０の各下面を被覆するように補強プレート４０を固着することで、タイロッド棒３０が剥き出しにならずに済み、解体工事のような荒い作業に使用してもタイロッド棒３０の破損や脱落を防止することができる。
【００１７】
請求項４のごとく、桁フレーム１０を構成するＨ形鋼のフランジ端部に、上層階の梁Ｐ上面に係止せしめる係止部１１を形成したので、スラブＱの梁Ｐ上に桁フレーム１０を確実に係止することができるので、ショベル機Ｓの移動を安全に行うことができる。
【図面の簡単な説明】
【００１８】
【図１】本発明方法において、ショベル機が上層階に移動する工程を示す概略側面図である。
【図２】本発明方法において、ショベル機がスラブ上を移動する状態を示す概略平面図である。
【図３】本発明方法において、ショベル機が屋上まで移動する経路を示す概略図である。
【図４】本発明装置の一実施例を示す分解斜視図である。
【図５】本発明装置の一実施例を示す一部切欠側面図である。
【図６】本発明装置の一実施例を示す底面図である。
【図７】本発明装置のタイロッド棒と補強プレートを示す要部側断面図である。
【図８】本発明装置の補助フレームとタイロッド棒を示す横断面図である。
【図９】本発明装置の係合突起と傾斜板を示す要部側断面図である。
【図１０】本発明装置の補強板を示す要部側断面図である。
【図１１】本発明装置の桁フレームにショベル機を載置した状態を示す概略正面図である。
【発明を実施するための形態】
【００１９】
本発明によると、建物の周囲にクレーンを使用するスペースがない場合でも屋上から解体工事を行うことができ、しかも、ショベル機を載せても桁式サポート装置に変形が少なく、安全な施工ができるなどといった当初の目的を達成した。
【００２０】
以下、本発明の実施例を説明する。本発明解体方法は、桁式サポート装置１００を使用する解体方法である（図１〜図３参照）。この桁式サポート装置１００の基本構成は、Ｈ形鋼のウェブ片面を載置面とするもので、建物の梁Ｐの上相互間に桁式サポート装置１００を架け渡し、この桁式サポート装置１００にショベル機Ｓを載せて移動しながら解体工事を行う解体方法である（図２参照）。
【００２１】
桁式サポート装置を使用する従来の解体方法では、クレーンにて屋上までショベル機Ｓや桁式サポート装置を搬送していたが、本発明では、従来の解体方法を改良し、ショベル機Ｓが屋上まで自走で移動できるようにしている。
【００２２】
すなわち、ショベル機Ｓは最下層のスラブＱ上に配置する（図１参照）。この場合、ショベル機Ｓの搬入口（図示せず）をショベル機Ｓにて開口し、自走でスラブＱ上に移動する。そして、移動したショベル機Ｓにて、上層階のスラブＱにショベル機Ｓ移動用の移動開口部Ｒを形成する（図３参照）。
【００２３】
この移動開口部Ｒは、ショベル機Ｓが移動可能な大きさに開口するもので、この移動開口部Ｒの上面に桁式サポート装置１００を下層階から斜めに架け渡す（図１参照）。この際、スラブＱ中でも比較的強度の高い梁Ｐの位置に桁式サポート装置１００を架け渡すものである。
【００２４】
次に、この桁式サポート装置１００を渡ってショベル機Ｓを移動開口部Ｒから上層階に移動させる（図１参照）。このように上層階のスラブＱに到達したショベル機Ｓは、梁Ｐ相互間に架け渡した桁式サポート装置１００を伝って自由に移動することができるようになる（図２参照）。
【００２５】
そして、下層階から上層階のスラブＱに移動開口部Ｒを開口し、ショベル機Ｓが移動する工程を繰り返すことで、最終的に屋上までショベル機Ｓを移動させることができる（図３参照）。この後は、従来の屋上解体方法にて順次解体工事が進められるものである。
【００２６】
次に、本発明で使用する桁式サポート装置１００の基本構成は、桁フレーム１０、補助フレーム２０、タイロッド棒３０、補強プレート４０にて構成されている（図４〜図１０参照）。
【００２７】
桁フレーム１０はＨ形鋼を使用するもので、Ｈ形鋼のウェブ片面を載置面としており、梁Ｐの上に架け渡した桁フレーム１０上にショベル機Ｓを載置するものである（図１１参照）。この載置面には、多数の棒鋼１４を溶接してあり、ショベル機Ｓの移動を確実にしている（図４参照）。ただ、このＨ形鋼のみでは、ショベル機Ｓを支持する強度が足りないので、補助フレーム２０、タイロッド棒３０、補強プレート４０にて、桁フレーム１０の支持強度を高めている。
【００２８】
補助フレーム２０は、複数本のＨ形鋼を使用する。この補助フレーム２０は、桁フレーム１０の長手中央部位の裏側に、長手方向に沿って固着されるものである（図６参照）。図示例では、３本の補助フレーム２０を桁フレーム１０に溶接している。
【００２９】
一方、タイロッド棒３０は、桁フレーム１０及び補助フレーム２０に張力を発生させる部材である。すなわち、補助フレーム２０の長手両端部に固定平鋼３１を固着しておく（図６参照）。そして、この固定平鋼３１にタイロッド棒３０を貫通させ、固定ナット３２で固定する（図５参照）。
【００３０】
この固定ナット３２を締め付けるほど、タイロッド棒３０は固定平鋼３１の相互間で緊締され、この緊締力が桁フレーム１０や補助フレーム２０に張力を与えるものである。図示のタイロッド棒３０は、補助フレーム２０の間に２本配置している（図８参照）。但し、この補助フレーム２０やタイロッド棒３０の数や長さは図示例に限定されるものではない。
【００３１】
補強プレート４０は、補助フレーム２０の各下面を被覆するように固着した鋼板である（図６参照）。この補強プレート４０の両端部にはガイド板４１が設けられており、前述のタイロッド棒３０を挿通支持している。この補強プレート４０を補助フレーム２０に固着することで、補助フレーム２０とタイロッド棒３０とを桁フレーム１０に一体化することができるものである（図７、図８参照）。
【００３２】
桁フレーム１０を上層階のスラブＱに開口した移動開口部Ｒに係止するために、桁フレーム１０の一端部に係止部１１を設けている（図９参照）。この係止部１１は、桁フレーム１０を構成するＨ形鋼のフランジ端部に形成した部位で、切欠状に形成している。そして、スラブＱの中でも強度の高い梁Ｐの上に係止するものである。この係止部１１は、傾斜板１２によって強度を高めると共に、ショベル機Ｓはこの傾斜板１２をから上層階に移動する。
【００３３】
一方、桁フレーム１０の他端部には、補強板１３が設けられている（図１０参照）。この補強板１３は、下層階のスラブＱに設置する桁フレーム１０の端部を強化するものである。
【００３４】
尚、桁フレーム１０、補助フレーム２０、タイロッド棒３０、補強プレート４０等の構成は図示例に限定されるものではなく、本発明の要旨を変更する構成でなければ他の形状に変更することも可能である。
【符号の説明】
【００３５】
Ｐ  梁
Ｑ  スラブ
Ｒ  移動開口部
Ｓ  ショベル機
１０  桁フレーム
１１  係止部
１２  傾斜板
１３  補強板
１４  棒鋼
２０  補助フレーム
３０  タイロッド棒
３１  固定平鋼
３２  固定ナット
４０  補強プレート
４１  ガイド板
【図１】
2015048586.tif 000003
【図２】
2015048586.tif 000004
【図３】
2015048586.tif 000005
【図４】
2015048586.tif 000006
【図５】
2015048586.tif 000007
【図６】
2015048586.tif 000008
【図７】
2015048586.tif 000009
【図８】
2015048586.tif 000010
【図９】
2015048586.tif 000011
【図１０】
2015048586.tif 000012
【図１１】
2015048586.tif 000013
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
建物の梁の上相互に架け渡し、解体工事用のショベル機を載せる桁式サポート装置にショベル機を載せて移動しながら解体工事を行う桁式サポート装置を使用した解体方法において、
桁式サポート装置の一端部に上層階の梁の上に係止する係止部と傾斜板とを設け、該傾斜板によって係止部の強度を高めると共に、傾斜板から上層階にショベル機が移動するように構成し、
下層階のスラブ上に配置したショベル機にて上層階のスラブ下面からショベル機移動用の移動開口部を形成する工程と、
下層階から上層階の移動開口部の梁の位置に桁式サポート装置を斜めに架け渡しショベル機が桁式サポート装置を伝って移動開口部から上層階に移動する工程と、
上層階のスラブの梁相互間に架け渡した桁式サポート装置を伝って自由に移動する工程とを有し、ショベル機を屋上まで移動させることを特徴とする桁式サポート装置を使用した解体方法。
【請求項２】
建物の梁の上相互に架け渡し、解体工事用のショベル機を載せる桁式サポート装置にショベル機を載せて移動しながら解体工事を行う解体方法に使用する桁式サポート装置において、
Ｈ形鋼のウェブ片面を載置面とし、該Ｈ形鋼のフランジ端部に、上層階の梁上面に係止せしめる係止部と、該係止部の強度を高めると共に、上層階にショベル機が移動するように形成した傾斜板とを備えた桁フレームと、
該桁フレームの長手中央部位の裏側に、長手方向に沿って複数本固着されるＨ形鋼の補助フレームと、
該補助フレームの長手両端部に固着された一対の固定平鋼を貫通し、固定ナットで固定するタイロッド棒と、を備え、
該タイロッド棒を緊締して桁フレーム及び補助フレームに張力を発生させるように構成したことを特徴とする桁式サポート装置。
【請求項３】
前記タイロッド棒は前記補助フレームの間に配設され、前記補助フレームの下面全体を被覆する補強プレートが補助フレームに固着された請求項２記載の桁式サポート装置。
【手続補正２】
【補正対象書類名】明細書
【補正対象項目名】００１０
【補正方法】変更
【補正の内容】
【００１０】
上述の目的を達成すべく本発明における第１の手段は、建物の梁Ｐの上相互に架け渡し、解体工事用のショベル機Ｓを載せる桁式サポート装置に１００にショベル機Ｓを載せて移動しながら解体工事を行う桁式サポート装置１００を使用した解体方法において、
桁式サポート装置１００の一端部に上層階の梁Ｐの上に係止する係止部１１と傾斜板１２とを設け、該傾斜板１２によって係止部１１の強度を高めると共に、傾斜板１２から上層階にショベル機Ｓが移動するように構成し、
下層階のスラブＱ上に配置したショベル機Ｓにて上層階のスラブＱ下面からショベル機Ｓ移動用の移動開口部Ｒを形成する工程と、
下層階から上層階の移動開口部Ｒの梁Ｐの位置に桁式サポート装置１００を斜めに架け渡しショベル機Ｓが桁式サポート装置１００を伝って移動開口部Ｒから上層階に移動する工程と、
上層階のスラブＱの梁Ｐ相互間に架け渡した桁式サポート装置１００を伝って自由に移動する工程とを有し、ショベル機Ｓを屋上まで移動させる解体方法にある。
【手続補正３】
【補正対象書類名】明細書
【補正対象項目名】００１１
【補正方法】変更
【補正の内容】
【００１１】
第２の手段は、建物の梁Ｐの上相互に架け渡し、解体工事用のショベル機Ｓを載せる桁式サポート装置に１００にショベル機Ｓを載せて移動しながら解体工事を行う解体方法に使用する桁式サポート装置１００において、
Ｈ形鋼のウェブ片面を載置面とし、該Ｈ形鋼のフランジ端部に、上層階の梁Ｐ上面に係止せしめる係止部１１と、該係止部１１の強度を高めると共に、上層階にショベル機Ｓが移動するように形成した傾斜板１２とを備えた桁フレーム１０と、
該桁フレーム１０の長手中央部位の裏側に、長手方向に沿って複数本固着されるＨ形鋼の補助フレーム２０と、
該補助フレーム２０の長手両端部に固着された一対の固定平鋼３１を貫通し、固定ナット３２で固定するタイロッド棒３０と、を備え、
該タイロッド棒３０を緊締して桁フレーム１０及び補助フレーム２０に張力を発生させるように構成した桁式サポート装置にある。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明の請求項１によると、上層階移動工程にて屋上まで移動させたショベル機Ｓにて解体工事を行う解体方法により、建物の周囲にクレーンを使用するスペースがない場合でも屋上から解体工事を行うことができる。しかも、上層階の梁Ｐ上面に係止せしめる係止部１１や、該係止部１１の強度を高めると共に、上層階にショベル機Ｓが移動するように形成した傾斜板１２とを形成したので、スラブＱの梁Ｐ上に桁フレーム１０を確実に係止することができるので、ショベル機Ｓの移動を安全に行うことができる。
【手続補正６】
【補正対象書類名】明細書
【補正対象項目名】００１７
【補正方法】削除
【補正の内容】